(57)【特許請求の範囲】
【請求項１】
平板状部材の一端部の幅方向両側位置に、該平板状部材の裏面側へ所要寸法突出する一対の係止部材を、所要の隙間を隔てて取り付け、且つ上記平板状部材の中央部に所要径の貫通孔と、該貫通孔の両側位置に切欠部を設けてなり、該貫通孔は、座金本体の外周に第１舌部と第２舌部を周方向に所要角度で備えた舌付き座金を所要物体の外周縁部に配されるボルトに介装して、上記舌付き座金の第１舌部を上記所要物体の端部より外方へ突出させた姿勢で上記ボルトに螺着させて締めるようにするナットよりも大きい径寸法を有する大きさとすると共に、上記一対の係止部材の間の隙間は、上記舌付き座金の第１舌部の幅寸法よりも広い幅とし、更に上記切欠部は、上記舌付き座金の第２舌部を収容させるため該第２舌部を収容し得る大きさとするようにした構成を有することを特徴とする舌付き座金固定治具。
【請求項２】
一対の係止部材の所要個所同士を、連結部材を介して連結するようにした請求項１記載の舌付き座金固定治具。
【請求項３】
一対の係止部材における所要個所に、押えボルトを外側から貫通させて設けるようにした請求項１又２記載の舌付き座金固定治具。
【発明の詳細な説明】
【技術分野】
【０００１】
本発明は、ボルトやナットの緩み止めのために用いる舌付き座金を介装した状態でボルトやナットの締め付けを行うときに、上記舌付き座金が共回りしないように該舌付き座金の周方向の角度姿勢を固定するために用いる舌付き座金固定治具に関するものである。
【背景技術】
【０００２】
各種機械や建築の分野等において、一旦締めたボルトやナットが振動等で緩む虞を未然に防止するための緩み止め（回り止め）手段の１つとして、舌付き座金が広く用いられてきている（たとえば、特許文献１、特許文献２参照）。
【０００３】
ところで、舌付き座金の一種として、フランジ等、物体の周縁部に配置されるボルトやナットの緩み止めを図るために用いるものとして、図７（イ）に示す如く、リング状の座金本体２の外周部に周方向所要間隔、たとえば、周方向９０度間隔で２つの舌部３ａ，３ｂを備えた形式（両舌付き形式）の舌付き座金１がある。
【０００４】
上記両舌付き形式の舌付き座金１を用いて物体の周縁部、たとえば、所要の物体のフランジ４に設けた図示しないボルト孔を通して該フランジ４より突出するボルト５に対して締め込むナット６の緩み止めを図る場合は、先ず、図７（ロ）に示すように、上記フランジ４より突出するボルト５の軸部に予め上記舌付き座金１の座金本体２を嵌めた状態でナット６を螺着させ、該ナット６の座面と上記フランジ４の表面との間に上記舌付き座金１の座金本体２を挟んだ状態で該ナット６を上記ボルト５の軸部に対して締め付ける。この際、上記舌付き座金１の第１の舌部３ａが上記フランジ４の端部より突出して配置されるようにしておく。次いで、図７（ハ）に示すように、上記フランジ４の端部より突出して配置されるようにしておいた上記舌付き座金１の第１の舌部３ａを、該フランジ４の端部に沿う位置で該フランジ４の外周面側へ折り曲げ、且つ上記舌付き座金１の第２の舌部３ｂを、上記ナット６の側面に接するように折り曲げることで、該ナット６の上記フランジ４に対する相対的な回転を上記舌付き座金１の各舌部３ａ及び３ｂにより拘束することで、該ナット６の緩みを防止できるようにしてある。
【０００５】
【特許文献１】特開２００１−１２１３６１号公報
【特許文献２】特開２００７−２３５９８号公報
【発明の開示】
【発明が解決しようとする課題】
【０００６】
ところが、図７（イ）に示した両舌付き形式の舌付き座金１を使用する際、ナット６の座面とフランジ４の表面との間に上記舌付き座金１の座金本体２挟んだ状態で上記ナット６を締め付けると、該ナット６の座面と上記舌付き座金１の座金本体２との接触面に作用する摩擦力により、該舌付き座金１が上記締め付けるナット６と共回りすることがあり、このように、舌付き座金１がナット６と共回りして、該舌付き座金１の上記第１の舌部３ａの上記フランジ４の端部からの突出量が減少したり、該第１の舌部３ａがフランジ４の端部より突出しなくなると、上記ナット６の緩み止め効果を発揮させることができなくなってしまう。
【０００７】
したがって、ナット６の締め付け作業を行う際、上記のようにして舌付き座金１が締め付けるナット６と共回りして、該舌付き座金１の第１の舌部３ａのフランジ４端部からの突出量がある一定量より少なくなってしまった場合は、上記ナット６を一旦緩めて上記舌付き座金１の第１の舌部３ａが正規の配置となるように該舌付き座金１の周方向の角度姿勢を調整した後、再びナット６を締め付ける作業が必要となる。
【０００８】
しかも、上記ナット６を締め付けるときの舌付き座金１の回転量と、上記ナット６を緩めるときの舌付き座金１の回転量は必ずしも一致しないため、ナット６の締め直し作業が多くなり、該締め直し作業のための余計な作業時間がかかっているというのが実状である。
【０００９】
なお、上記特許文献１には、舌付き座金回り止め治具が記載されているが、これは、舌部が１つの形式の舌付き座金の回り止めを図るためのものであって、上記図７（イ）に示したような２つの舌部３ａ，３ｂを備えてなる形式の舌付き座金１の回り止めを図るものではない。しかも、特許文献１に記載されたものでは、上記治具に設けた通孔（穴）に、回り止めを図る対象となるボルトやナットの近傍に存在する他の固定物（物品）を通すことで該治具の位置決めを行うようにしてあるため、回り止めを図るべきボルトやナットの近傍に適当な大きさの固定物が存在していない場合は、使用することができないという問題がある。
【００１０】
そこで、本発明は、所要の物体を固定するために該物体の周縁部にてボルト又はナットの座面との間に両舌付き形式の舌付き座金を介装した状態で該ボルト又はナットを締めるときに、他の固定物の有無に依存することなく、上記舌付き座金の第１の舌部を上記物体の外周に突出させた姿勢で固定できるようにするために用いる舌付き座金固定治具を提供しようとするものである。
【課題を解決するための手段】
【００１１】
本発明は、上記課題を解決するために、請求項１に対応して、平板状部材の一端部の幅方向両側位置に、該平板状部材の裏面側へ所要寸法突出する一対の係止部材を、所要の隙間を隔てて取り付け、且つ上記平板状部材の中央部に所要径の貫通孔と、該貫通孔の両側位置に切欠部を設けてなり、該貫通孔は、座金本体の外周に第１舌部と第２舌部を周方向に所要角度で備えた舌付き座金を所要物体の外周縁部に配されるボルトに介装して、上記舌付き座金の第１舌部を上記所要物体の端部より外方へ突出させた姿勢で上記ボルトに螺着させて締めるようにするナットよりも大きい径寸法を有する大きさとすると共に、上記一対の係止部材の間の隙間は、上記舌付き座金の第１舌部の幅寸法よりも広い幅とし、更に上記切欠部は、上記舌付き座金の第２舌部を収容させるため該第２舌部を収容し得る大きさとするようにした構成とする。
【００１３】
更に、上記各構成において、一対の係止部材の所要個所同士を、連結部材を介して連結するようにした構成とする。
【００１４】
上述の各構成において、一対の係止部材における所要個所に、押えボルトを外側から貫通させて設けるようにした構成とする。
【発明の効果】
【００１５】
本発明の舌付き座金固定治具によれば、以下のような優れた効果を発揮する。
（１）平板状部材の一端部の幅方向両側位置に、該平板状部材の裏面側へ所要寸法突出する一対の係止部材を、所要の隙間を隔てて取り付け、且つ上記平板状部材の中央部に所要径の貫通孔と、該貫通孔の両側位置に切欠部を設けてなり、該貫通孔は、座金本体の外周に第１舌部と第２舌部を周方向に所要角度で備えた舌付き座金を所要物体の外周縁部に配されるボルトに介装して、上記舌付き座金の第１舌部を上記所要物体の端部より外方へ突出させた姿勢で上記ボルトに螺着させて締めるようにするナットよりも大きい径寸法を有する大きさとすると共に、上記一対の係止部材の間の隙間は、上記舌付き座金の第１舌部の幅寸法よりも広い幅とし、更に上記切欠部は、上記舌付き座金の第２舌部を収容させるため該第２舌部を収容し得る大きさとするようにした構成としてあるので、舌付き座金固定治具自体を、貫通孔の内側に嵌合させるナット又はボルトと、所要物体の外周面に接する一対の係止部材により上記所要物体の表面に沿う方向の変位を拘束することができ、この状態で、該舌付き座金固定治具の上記一対の係止部材の間に、上記所要物体の端部より外方へ突出させた状態で配置する上記舌付き座金の第１舌部を配置することで、該第１舌部の回転方向の変位を阻止できる。よって、ナット又はボルトを締めるときに、上記舌付き座金が共回りする虞を解消できて、該舌付き座金を、周方向の角度姿勢を正規の配置とした状態で取り付けることができる。よって、上記ナット又はボルトの締め付け作業終了後は、上記舌付き座金の第１舌部を上記所要物体の端部位置で外周面側へ確実に折り曲げることができ、又、第２舌部を上記締めたナット又はボルトの側面に接するように折り曲げることで、該舌付き座金による上記ナット又はボルトの緩み止め効果を確実に発揮させることが可能になる。
（２）上記舌付き座金固定治具は、上記所要物体と該所要物体に締め付けるナット又はボルト以外の他の固定物に依存することなく上記舌付き座金の回り止目効果を発揮できる。（３）更に、舌付き座金固定治具が可動部のないシンプルな構成となるため、機械的な故障が生じる虞を解消できる。よって、作業性の悪い環境下であっても、片手で容易に取り扱うことができて、舌付き座金の共回りを防止した状態でのナット又はボルトの締め付け作業と、その後の上記舌付き座金を用いたナット又はボルトに対する緩み止め作業を、容易に且つ確実に行わせる効果が期待できる。
（４）更にまた、平板状部材における貫通孔の両側位置に、舌付き座金における第２舌部を収容するための切欠部を設けるようにした構成としてあるので、舌付き座金の第２舌部を、ナット又はボルトの側面に沿わせて折り曲げ易くなるように、予め上記所要物体の表面より離反する方向へ折り曲げた状態としてあっても、該折り曲げた状態の第２舌部を、上記貫通孔の両側位置に設けてある切欠部のいずれかに収容できる。よって、上記第２舌部を予め上記所要物体の表面より離反する方向へ折り曲げた状態の舌付き座金を使用することができて、ナット又はボルトを締め付けた後に行うナット又はボルトに対する緩み止め作業の作業性を向上させる効果が期待できる。
（５）一対の係止部材の所要個所同士を、連結部材を介して連結するようにした構成とすることにより、左右の係止部材に作用する不均等な力を、該係止部材同士の間で連結部材を介して互いに分散できるため、舌付き座金固定治具自体に局所的に大きな力が作用する虞を低減できて、平板状部材等に歪みが生じる虞を回避することで、該舌付き座金固定治具自体の耐久性を高める効果が期待できる。
（６）一対の係止部材における所要個所に、押えボルトを外側から貫通させて設けるようにした構成とすることにより、上記（１）と同様に舌付き座金固定治具の平板状部材の貫通孔を所要物体の外周にて配されたナット又はボルトに嵌合させ、且つ一対の係止部材を上記所要物体の外周面に沿わせて配置した状態とした後、上記各係止部材に設けてある押えボルトを締めて所要物体の外周面に押し付けることで、上記ナット又はボルトの外周に嵌合させた上記平板状部材の貫通孔の内周面をナット又はボルトと接触させることができて、このナット又はボルトに接する上記平板状部材の貫通孔の内周面と、上記所要物体の外周面に押し付けた押えボルトとの間に、上記所要物体の外周部を挟むことで、該所要物体に上記舌付き座金固定治具を支持させることができる。よって、上記舌付き座金固定治具を係止部材を下方に向けて配置して使用する場合や、所要物体に対し、ナットやボルトを上向きに締め付ける必要がある場合の作業性を高めることができる。
【発明を実施するための最良の形態】
【００１６】
以下、本発明を実施するための最良の形態を図面を参照して説明する。
【００１７】
図１（イ）（ロ）（ハ）は本発明の舌付き座金固定治具の実施の一形態として、所要の物体を固定するために該物体のフランジ４の周縁部の図示しないボルト孔に挿通して配されたボルト５に、図７（イ）に示したと同様の両舌付き形式の舌付き座金１を介装した状態でナット６を締め込む場合の適用例を示すもので、以下のようにしてある。
【００１８】
すなわち、所要サイズの略矩形の平板状部材８の一端面に、該平板状部材８の裏面側へ直角方向に所要寸法突出する左右一対の係止部材９を一体に取り付け、且つ該左右の係止部材９同士の間に、図７（イ）（ロ）（ハ）に示したと同様に第１の舌部３ａと第２の舌部３ｂを備えた両舌付き形式の舌付き座金１にてフランジ４の端部に沿う位置で該フランジ４の外周面側へ折り曲げるための第１の舌部３ａの幅寸法よりもやや広い隙間が形成されるようにする。
【００１９】
上記平板状部材８の中央部には、上記フランジ４の外周端から該フランジ４の周縁部に配されるボルト５の軸心までの間隔に対応する寸法分、該平板状部材８の一端部より離れた位置を中心として、上記フランジ４の周縁部に配されるボルト５に螺着させるナット６よりもわずかに大きい径寸法を有する貫通孔１０を設けて舌付き座金固定治具７を形成する。これにより、上記平板状部材８の貫通孔１０の内側に、上記フランジ４の周縁部に配されたボルト５に螺着させたナット６を嵌合（挿通）させた状態にて、平板状部材８の一端面に取り付けてある上記左右一対の係止部材９を、上記フランジ４の外周面に引っ掛けて係止させることができるようにしてある。
【００２０】
更に、上記平板状部材８における上記貫通孔１０の左右両側位置に、上記図７（イ）に示したと同様の両舌付き形式の舌付き座金１にてナット６の側面に接するように折り曲げるための第２の舌部３ｂを収容し得る大きさの矩形状の切欠部１１を設ける。
【００２１】
これにより、舌付き座金１における上記第２の舌部３ｂが、ナット６の締め付け作業に伴ってフランジ４の表面に密着すると、その後の該舌部３ｂの折り曲げ作業が実施し難くなることに鑑みて、上記舌付き座金１の座金本体２をフランジ４の表面に密着させても上記舌部３ｂとフランジ４の表面との間に隙間が形成されるように、予め該舌付き座金１の第２舌部３ｂを、フランジ４の表面から離反させる方向へ所要角度で折り曲げた状態として使用することが多く行われるが、このように舌付き座金１の第２舌部３ｂを予め折り曲げた状態としてあっても、該舌部３ｂを上記平板状部材８の貫通孔１０の左右両側位置に設けてある切欠部１１のうちの片方の切欠部１１に収容できるようにしてある。更に、上記切欠部１１を貫通孔１０の左右両側位置に設けた構成としてあることで、上記舌付き座金１を図１に示した状態から表裏を反転させた状態で使用する場合であっても、フランジ４の表面より離反させる方向へ予め折り曲げる第２舌部３ｂを、もう一方の切欠部１１に収容できるようにしてある。
【００２２】
具体的には、上記平板状部材８一端部は、上記フランジ４の半径寸法に応じたアールで湾曲する形状として、該平板状部材８の一端面に上記所定の間隔を隔てて取り付けてある左右の各係止部材９の内側面を、上記フランジ４の外周面に沿わせて接した状態に配置できるようにしてある。
【００２３】
以上の構成としてある舌付き座金固定治具７を使用する場合は、先ず、上記フランジ４の周縁部に配されているボルト５の軸部に、上記舌付き座金１の座金本体２を嵌合させた後、該ボルト５の軸部にナット６を螺着させて、上記舌付き座金１の周方向の角度姿勢を手で容易に変更できる範囲内で、該ナット６を手等で締めておく。
【００２４】
次に、上記舌付き座金１の第１舌部３ａがフランジ４の外方へ突出するように該舌付き座金１の周方向の角度姿勢を正規の配置に調整した後、上記舌付き座金固定治具７の平板状部材８に設けてある貫通孔１０の内側に上記ナット６を嵌合させると共に、左右の係止部材９の間に、上記舌付き座金１の第１舌部３ａを配置させた状態で、該各係止部材９を、上記フランジ４の外周面に引っ掛けて係止させる。
【００２５】
次いで、上記ナット６を、図示しないスパナ等を用いて締め付けると、該ナット６の座面と接触している上記舌付き座金１に、摩擦によりナット６の締め付け方向へ回転させようとする力が作用するようになるが、この際、該舌付き座金１の上記第１舌部３ａは、上記舌付き座金固定治具７の左右一対の係止部材９の間に配置されていると共に、該舌付き座金固定治具７自体が、上記貫通孔１０の内側に締め付け対象である上記ナット６を嵌合させ、且つ上記各係止部材９がフランジ４の外周面に接する状態で配置されることによって、該フランジ４と平行な面内での動きが拘束されるため、該舌付き座金固定治具７の上記左右一対の係止部材９の間に配置されている上記舌付き座金１の第１舌部３ａに回転方向の変位が生じることはない。
【００２６】
よって、上記ナット６の締め付け後に、上記舌付き座金固定治具７を取り外すことで、上記舌付き座金１を、ナット６の座面とフランジ４の表面との間にて、上記第１舌部３ａをフランジ４の外周端部より外方へ突出させた正規の配置で取り付けた状態とすることができる。
【００２７】
このように、本発明の舌付き座金固定治具７によれば、ナット６の座面とフランジ４の表面との間に介装させる舌付き座金１が、ナット６の締め付け時に該ナット６との共回りする虞を解消できる。よって、上記ナット６の締め付け作業終了後には、上記舌付き座金１の第１の舌部３ａをフランジ４の端部と対応する位置で該フランジ４の外周面側へ確実に折り曲げることができると共に、該舌付き座金１の第２の舌部３ｂを上記締め付けたナット６の側面に接するように折り曲げることで、該舌付き座金１による上記ナット６の緩み止め効果を確実に発揮させることが可能になる。
【００２８】
更に、上記舌付き座金固定治具７では、ナット６に嵌合させる貫通孔１０の左右両側位置に設けた切欠部１１に、上記舌付き座金１の第２舌部３ｂを、予めフランジ４の表面より離反する方向へ折り曲げた状態で収容できるようにしてあるため、該舌付き座金１の第２舌部３ｂを上記締め付けた後のナット６の側面に沿わせて折り曲げる作業を容易に実施させることが可能になる。よって、舌付き座金１を用いたナット６の緩み止め処理のために要する手間を削減して、作業性を向上させる効果が期待できる。
【００２９】
しかも、上記舌付き座金固定治具７は、上記締め付け対象となるナット６以外の他の固定物に依存することなく上記舌付き座金１の第１の舌部３ａの回り止めを図ることができる。更には、可動部のないシンプルな構成としてあるため、機械的な故障が生じる虞を解消できる。よって、たとえば、ダイバーが厚い手袋を装着した状態でナット６の締め付け作業を水中作業として実施するような作業性の悪い環境下であっても、該舌付き座金固定治具７を片手で容易に取り扱うことができて、舌付き座金１の共回りを防止した状態でのナット６の締め付け作業と、その後の締め付けたナット６の緩み止め作業を、容易に且つ確実に行わせる効果が期待できる。
【００３０】
次に、図２（イ）（ロ）（ハ）は本発明の実施の他の形態として、図１（イ）（ロ）（ハ）の実施の形態の応用例を示すもので、図１（イ）（ロ）（ハ）に示したと同様の構成において、左右一対の係止部材９における平板状部材８の裏面側へ突出する端部の外側面同士を、左右方向に延びる連結部材１２を介して一体に連結して舌付き座金固定治具７ａを構成したものである。
【００３１】
なお、上記左右の係止部材９の突出端部の外側面同士を上記連結部材１２を介して連結することにより、上記左右の係止部材９の隙間は、一端側が上記平板状部材８により、又、他端側が上記連結部材１２によって閉塞されるようになる。よって、フランジ４の周縁部に配されているボルト５の軸部に舌付き座金１を介装した状態でナット６を螺着させて、該ナット６を手動等により軽く締め、更に、上記舌付き座金１の第１舌部３ａをフランジ４の端部より外方へ突出するように該舌付き座金１の周方向の角度姿勢を正規の配置に調整した状態にて、上記舌付き座金固定治具７ａを、先ず、フランジ４の端部より外方へ突出させてある上記舌付き座金１の第１の舌部３ａを、上記舌付き座金固定治具７ａにおける左右の係止部材９と平板状部材８と連結部材１２との内側に形成された空間に挿通させてから、上記平板状部材８に設けてある貫通孔１０を上記ナット６の外周へ嵌合させる操作を実施できるように、所要サイズの空間が上記左右の係止部材９と平板状部材８と連結部材１２の内側に形成されるよう上記連結部材１２の各係止部材９に対する取付位置が設定してあるものとする。
【００３２】
その他の構成は図１（イ）（ロ）（ハ）に示したものと同様であり、同一のものには同一の符号が付してある。
【００３３】
以上の構成としてある本実施の形態の舌付き座金固定治具７ａによれば、ナット６の締め付け時に、舌付き座金１の周り止めを図る該舌付き座金固定治具７ａの上記左右の係止部材９に作用する不均等な力を、上記連結部材１２を介して該各係止部材９同士の間で互いに分散させることができる。このため、舌付き座金固定治具７ａに局所的に大きな力が作用する虞を低減できて、舌付き座金固定治具７ａにおける平板状部材８等に歪みが生じる虞を回避することで、該舌付き座金固定治具７ａの耐久性を高める効果が期待できる。
【００３４】
次いで、図３（イ）（ロ）（ハ）は本発明の実施の更に他の形態として、図１（イ）（ロ）（ハ）に示した実施の形態の変形例を示すもので、図１（イ）（ロ）（ハ）と同様の構成において、平板状部材８の中央部に設けた貫通孔１０の左右両側位置に、舌付き座金１におけるナット６の側面に沿わせて折り曲げるための第２の舌部３ｂの平面形状に対応した矩形状の切欠部１１をそれぞれ設ける構成に代えて、平板状部材８の裏面側における貫通孔１０の左右両側位置に、上記舌付き座金１の第２の舌部３ｂの平面形状に対応する矩形状の所要深さの窪み１３を、上記貫通孔１０と繋がるように設けてなる構成として舌付き座金固定治具７ｂを形成したものである。
【００３５】
更に、上記平板状部材８の裏面側における上記貫通孔１０と、該平板状部材８の一端部における左右一対の係止部材９同士の間の位置との間を繋ぐように、上記舌付き座金１の第１の舌部３ａの幅寸法と対応する幅で且つ舌付き座金１の厚み寸法に応じた深さを有する溝１４を設けた構成とする。これにより、上記平板状部材８の裏面側に設けた溝１４の内側に舌付き座金１の第１舌部３ａを、又、上記平板状部材８の裏面側に設けた窪み１３の内側に舌付き座金１の第２舌部３ｂをそれぞれ収容させることで、該平板状部材８の裏面を、フランジ４の表面に密着させることができるようにして、舌付き座金固定治具７ｂを使用するときの安定性をより高めることができるようにしてある。
【００３６】
なお、本実施の形態では、円形のフランジ４に代えて、多角形状等の外周部に直線状の辺を備えた形状のフランジ４ａに対応できるようにするために、上記平板状部材８を、その一端部が湾曲した形状とすることに代えて、平板状部材８を、一端部がフラットな矩形状としてある。その他の構成は図１（イ）（ロ）（ハ）に示したものと同様であり、同一のものには同一の符号が付してある。
【００３７】
本実施の形態の舌付き座金固定治具７ｂによっても、図１（イ）（ロ）（ハ）に示した舌付き座金固定治具７と同様に、フランジ４ａの周縁部に配設されたボルト５に舌付き座金１を介装した状態でナット６を螺着させ、該ナット６を手で軽く締めた状態にて、フランジ４ａの外周より突出する正規の配置とした上記舌付き座金１の第１舌部３ａを、左右の係止部材９の間に配置すると共に、平板状部材８の貫通孔１０を上記ナット６の外周に嵌合させた状態としてから、該ナット６の締め付けを行うようにすることで、上記ナット６の座面に接する上記舌付き座金１が、該ナット６と共回りする虞を防止できて、該舌付き座金１を、第１舌部３ａをフランジ４ａの外方へ突出させた正規の周方向角度姿勢で取り付けることができる。
【００３８】
図４（イ）（ロ）（ハ）は本発明の実施の更に他の形態として、図３（イ）（ロ）（ハ）の実施の形態の応用例を示すもので、図３（イ）（ロ）（ハ）に示したと同様の構成において、平板状部材８の一端面に取り付けてある左右の各係止部材９の所要個所に、板厚方向に貫通する図示しないねじ穴を設け、且つ該各係止部材９の図示しないねじ穴に、外側より押えボルト１５をそれぞれ取り付けて舌付き座金固定治具７ｃを構成したものである。
【００３９】
その他の構成は図３（イ）（ロ）（ハ）に示したものと同様であり、同一のものには同一の符号が付してある。
【００４０】
以上の構成としてある本実施の形態の舌付き座金固定治具７ｃによれば、上記図３（イ）（ロ）（ハ）に示した舌付き座金固定治具７ｂと同様に、フランジ４ａの周縁部に配設されたボルト５に舌付き座金１を介装した状態でナット６を螺着させ、該ナット６を手で軽く締めた状態にて、フランジ４ａの外周より突出するよう正規の配置とした上記舌付き座金１の第１の舌部３ａを、左右の係止部材９の間に配置すると共に、平板状部材８の貫通孔１０を上記ナット６の外周に嵌合させた状態としてから、上記各係止部材９の図示しないねじ穴に取り付けてある各押えボルト１５を締め込むと、該押えボルト１５の先端部が上記フランジ４ａの外周面に押し付けられた後、舌付き座金固定治具７ｃ全体が、上記フランジ４ａの外周側へ変位させられるようになるため、平板状部材８の貫通孔１０の周壁における該平板状部材８の他端寄りの領域が、上記ナット６へ押し当てられるようになる。よって、このナット６へ押し当てられた貫通孔１０の周壁と、上記各係止部材９の押えボルト１５との間に、上記ナット６及びボルト５を介して上記フランジ４ａの外周縁部を挟むことで、該舌付き座金固定治具７ｃが、上記フランジ４ｃに支持されるようになる。
【００４１】
よって、その後は、上記舌付き座金固定治具７ｃを作業者が手で支持する必要がなくなることから、フランジ４ａが鉛直方向に配置してあり、且つ該フランジ４ａの周縁部に配されたボルト５に舌付き座金１を介装してナット６を螺合させる際、該ナット６よりも下方に位置するフランジ４ａの端部より舌付き座金１の第１舌部３ａを突出させた状態でナット６を締め込む必要がある場合や、下向きのフランジ４ａより下方へ突出するボルト５に対し、舌付き座金１を介装した状態でナット６を上向きに締める場合に有利なものとすることができる。なお、上記舌付き座金固定治具７ｃの貫通孔１０の内周面の一部が上記ナット６と接することになるが、該貫通孔１０は上記ナット６の外形よりもやや大きい径の丸孔としてあるため、該貫通孔１０の内面と上記ナット６との接触部を周方向に滑らせるようにすることで、上記ナット６を締め付け方向へ回すことができる。
【００４２】
なお、上記各実施の形態では、１つのフランジ４，４ａの周縁部に配された単一のボルト５を対象として該ボルト５に舌付き座金１を介装した状態でナット６を締める場合について示したが、たとえば、図５に示す如く、上記各実施の形態と同様の舌付き座金固定治具７，７ａ，７ｂ，７ｃを、フランジ４，４ａの周方向に配列されている複数本のボルト５の配列に対応させて複数連結してなる構成（図では図１（イ）（ロ）（ハ）の実施の形態の舌付き座金固定治具７をフランジ４の外周に沿う方向に３つ並べて連結した構成のものが示してある。）として、上記フランジ４，４ａの周方向に配列されている複数本のボルト５にそれぞれ舌付き座金１を介装した状態でナット６を締める際に、上記複数個の舌付き座金１について、それぞれ第１の舌部３ａをフランジ４，４ａの端縁より突出させた正規の角度姿勢に一度に保持した状態で、上記複数本のボルト５にそれぞれナット６を締め付ける作業を行うことができるようにしてもよい。
【００４３】
又、たとえば、図６に示す如く、一対のフランジ４同士の連結部にて、該各フランジ４の周縁部に設けたボルト孔１６に挿通させた両ナットボルト１７の両端部に、それぞれ舌付き座金１を介装した状態でナット６を締める場合は、各ナット６を手で軽く締めた状態とした後、各々のフランジ４の周縁部で上記両ナットボルト１７の両端部にそれぞれ螺着されている２つのナット６に対し、上記各実施の形態の舌付き座金固定治具７，７ａ，７ｂ，７ｃ（図では図１（イ）（ロ）（ハ）の実施の形態の舌付き座金固定治具７を用いた状態が示してある。）を、上記各舌付き座金１の第１舌部３ａをフランジ４の端部より外方へ突出させた正規の配置で左右の係止部材９の間に配置した状態で個別に装着した後、上記一対のフランジ４を挟んで対向配置された上記２つの舌付き座金固定治具７，７ａ，７ｂ，７ｃ同士を、図６に示すように、略コの字型の弾性を備えた鋼製のクリップ１８で挟み込むことにより、上記各舌付き座金固定治具７，７ａ，７ｂ，７ｃを、上記フランジ４の両側に支持させるようにして用いるようにしてもよい。
【００４４】
なお、本発明は、上記実施の形態にのみ限定されるものではなく、フランジ４，４ａの外周端部からボルト５が配されている個所までの距離や、ナット６のサイズ、ナット６の締め付け時に舌付き座金１のフランジ４，４ａの端部より外方へ突出させる第１の舌部３ａを回転しないよう保持する際に舌付き座金固定治具７，７ａ，７ｂ，７ｃに作用する力の大きさ等に応じて、該舌付き座金固定治具７，７ａ，７ｂ，７ｃを構成する平板状部材８や係止部材９のサイズや厚み寸法を適宜変更してもよい。
【００４５】
平板状部材８に、貫通孔１０を該平板状部材８の他端側へ連通させる開口部を設けると共に、該開口部の一端縁部に、上記開口部を開閉するための開閉部材の基端部をヒンジ機構等を介して回転可能に取り付けると共に、該開閉部材の先端部を、上記開口部の他端縁部に、ラッチ機構等を介して着脱可能に連結できるようにした構成として、上記開閉部材を開放した状態で、上記開口部を通してナット６を横方向から挿入した後、上記開閉部材を閉じる操作により、平板状部材８の貫通孔１０に上記ナット６を嵌合させることができるようにした構成としてもよい。
【００４６】
本発明の舌付き座金固定治具７，７ａ，７ｂ，７ｃは物体の周縁部に配されたボルト５に該物体の端部に係止させるための舌部３ａを備えた舌付き座金１を介装した状態でナット６を締め付ける個所であれば、フランジ４，４ａ以外の個所での使用に適用してもよい。又、物体の周縁部にて該物体の端部に係止させるための舌部３ａを備えた舌付き座金１を介装した状態でボルトを締める場合にも適用できる。
【００４７】
その他本発明の要旨を逸脱しない範囲内で種々変更を加え得ることは勿論である。
【図面の簡単な説明】
【００４８】
【図１】本発明の舌付き座金固定治具の実施の一形態を示すもので、（イ）は概略平面図、（ロ）は一部切断概略側面図、（ハ）はフランジの外側から見た図である。
【図２】本発明の実施の他の形態を示すもので、（イ）は概略平面図、（ロ）は一部切断概略側面図、（ハ）はフランジの外側から見た図である。
【図３】本発明の実施の更に他の形態を示すもので、（イ）は概略平面図、（ロ）は一部切断概略側面図、（ハ）はフランジの外側から見た図である。
【図４】本発明の実施の更に他の形態を示すもので、（イ）は概略平面図、（ロ）は一部切断概略側面図、（ハ）はフランジの外側から見た図である。
【図５】本発明の実施の他の形態を示す概略平面図である。
【図６】本発明の舌付き座金固定治具の使用例を示す概略切断側面図である。
【図７】従来用いられている舌付き座金の一例として両舌付き形式の舌付き座金を示すもので、（イ）は概略平面図、（ロ）はナットの座面とフランジとの間に介装した状態を示す概略斜視図、（ハ）はナットの回り止めを図った状態を示す概略斜視図である。
【符号の説明】
【００４９】
１  舌付き座金
３ａ，３ｂ  舌部
４，４ａ  フランジ（所要物体）
６  ナット（ナット又はボルト）
８  平板状部材
９  係止部材
１０  貫通孔
１１  切欠部
１２  連結部材
１５  押えボルト
【図１】
0004720841.tif 000002
【図２】
0004720841.tif 000003
【図３】
0004720841.tif 000004
【図４】
0004720841.tif 000005
【図５】
0004720841.tif 000006
【図６】
0004720841.tif 000007
【図７】
0004720841.tif 000008